(57)【要約】【課題】  利用価値が高く、製造が容易であると共に、環境のことを配慮した紙製包装用容器を提供すること。【解決手段】  円筒状または逆円錐筒状に形成された紙製の側壁部と、前記円筒状の側壁部の一端を閉塞し、または前記逆円錐筒状の側壁部の小径端を閉塞する紙製の底部と、から構成される紙製カップと、前記円筒状の側壁部の他端の外径または前記逆円錐筒状の側壁部の大径端の外径と概略同一の内径を有する紙製の円筒部、および前記円筒部の一端を閉塞し前記円筒部の反対側に平坦面を有する紙製の閉塞部から構成され、前記円筒部が、前記円筒状の側壁部の他端、または前記逆円錐筒状の側壁部の大径端に嵌合する紙製の蓋部と、を備える。【選択図】  図１
2005126140.tif 000002
【特許請求の範囲】
【請求項１】
円筒状または逆円錐筒状に形成された紙製の側壁部と、前記円筒状の側壁部の一端を閉塞し、または前記逆円錐筒状の側壁部の小径端を閉塞する紙製の底部と、から構成される紙製カップと、
前記円筒状の側壁部の他端の外径または前記逆円錐筒状の側壁部の大径端の外径と概略同一の内径を有する紙製の円筒部、および前記円筒部の一端を閉塞し前記円筒部の反対側に平坦面を有する紙製の閉塞部から構成され、前記円筒部が、前記円筒状の側壁部の他端、または前記逆円錐筒状の側壁部の大径端に嵌合する紙製の蓋部と、を備えることを特徴とする紙製包装用容器。
【請求項２】
円筒状または逆円錐筒状に形成された紙製の側壁部と、前記円筒状の側壁部の一端を閉塞し、または前記逆円錐筒状の側壁部の小径端を閉塞する紙製の底部と、前記円筒状の側壁部の他端の外周、または前記逆円錐筒状の側壁部の大径端の外周に設けられ、リング状に形成された紙製のフランジ部と、から構成される紙製カップと、
前記フランジ部の外径と概略同一の内径を有する紙製の円筒部、および前記円筒部の一端を閉塞し前記円筒部の反対側に平坦面を有する紙製の閉塞部から構成され、前記円筒部が、前記フランジ部に嵌合する紙製の蓋部と、を備えることを特徴とする紙製包装用容器。
【請求項３】
前記蓋部において、前記閉塞部は、前記円筒部の内径と同一の直径を有する第１の円板で構成されることを特徴とする請求項１または請求項２記載の紙製包装用容器。
【請求項４】
前記蓋部において、前記閉塞部は、前記円筒部の外径と概略同一の直径を有する第２の円板で構成されることを特徴とする請求項１または請求項２記載の紙製包装用容器。
【請求項５】
少なくとも、前記側壁部または前記閉塞部に受注広告を備えることを特徴とする請求項１から請求項４のいずれかに記載の紙製包装用容器。
【発明の詳細な説明】
【技術分野】
【０００１】
本発明は、紙製カップと蓋部とから構成される紙製包装用容器に関する。
【背景技術】
【０００２】
従来から、紙製のカップが知られている。例えば、特開平９−１１３４２２号公報には、内容物をこぼすことなく、検査容器に容易に小分けすることができる紙製のカップが記載されている。また、特開２０００−０５９６３８号公報には、電子レンジなどで加熱調理する時に、加熱による内容物の吹き零れを防止した紙カップが記載されている。
【特許文献１】特開平９−１１３４２２号公報
【特許文献２】特開２０００−０５９６３８号公報
【特許文献３】登録実用新案第３０８０８８２号公報
【発明の開示】
【発明が解決しようとする課題】
【０００３】
しかしながら、上記の特許文献１および特許文献２に記載されている紙カップには蓋が付いていないため、内容物を入れた状態での持ち運びに便利であるとは言い難い。特に、液体や粉状体を入れた場合は、揺れにより内容物が飛び出す心配がある。また、飲料用に用いる場合は、蓋が無いことによりゴミなどが入ることがあり、不衛生となることもある。
【０００４】
一方、紙カップの利便性を向上させるために、プラスチック製の蓋が付いた紙カップが提案されている。しかし、プラスチック製品は、投棄や焼却により環境汚染を起こす物質が発生するので、エコロジーの観点から望ましいものではない。
【０００５】
また、上記の特許文献３には、紙コップの上端部の内周部に嵌合するリング状の外壁部を備える内側片および内側片の下端部から径方向内方に屈曲された円板状の底片部を備える円形の凹皿部と、凹皿部のリング状の外壁部の頂部と連続し、外方に折曲され、紙コップのリング状縁部の上に臨むリング状の鍔部と、リング状の鍔部の外径部に連続して下方に屈曲され、紙コップのリング状縁部の外周を囲繞するリング状の外側片とからなる紙コップの蓋が記載されている。この蓋において、外側片は、円周方向に所定ピッチで放射状に複数個設けられ径方向内方に突出する係止突起を備えている。しかしながら、各部分は、シート状の一枚の紙で一体に成形されるため、金型が必要となり、製造工程が複雑化し、コストが増大するという問題がある。
【０００６】
本発明は、このような事情に鑑みてなされたものであり、利用価値が高く、製造が容易であると共に、環境のことを配慮した紙製包装用容器を提供することを目的とする。
【課題を解決するための手段】
【０００７】
（１）本発明の紙製包装用容器は、円筒状または逆円錐筒状に形成された紙製の側壁部と、前記円筒状の側壁部の一端を閉塞し、または前記逆円錐筒状の側壁部の小径端を閉塞する紙製の底部と、から構成される紙製カップと、前記円筒状の側壁部の他端の外径または前記逆円錐筒状の側壁部の大径端の外径と概略同一の内径を有する紙製の円筒部、および前記円筒部の一端を閉塞し前記円筒部の反対側に平坦面を有する紙製の閉塞部から構成され、前記円筒部が、前記円筒状の側壁部の他端、または前記逆円錐筒状の側壁部の大径端に嵌合する紙製の蓋部と、を備えることを特徴としている。
【０００８】
このように、本発明の紙製包装用容器は、すべての部分が紙製であり、可燃物で構成されているため、廃棄の際に可燃ごみとしてそのまま廃棄し焼却することができる。このため、蓋部がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。さらに、蓋部において、円筒部が、円筒状の側壁部の他端、または逆円錐筒状の側壁部の大径端に嵌合するので、内容物が飛び出したり、ゴミなどの異物が容器内に入り込んだりすることを防止することができる。また、蓋部は平坦面を有するため、複数の紙製包装用容器を積み重ねたり、平坦面に文字、図形、記号などの情報を表記したりすることが可能となる。
【０００９】
（２）また、本発明の紙製包装用容器は、円筒状または逆円錐筒状に形成された紙製の側壁部と、前記円筒状の側壁部の一端を閉塞し、または前記逆円錐筒状の側壁部の小径端を閉塞する紙製の底部と、前記円筒状の側壁部の他端の外周、または前記逆円錐筒状の側壁部の大径端の外周に設けられ、リング状に形成された紙製のフランジ部と、から構成される紙製カップと、前記フランジ部の外径と概略同一の内径を有する紙製の円筒部、および前記円筒部の一端を閉塞し前記円筒部の反対側に平坦面を有する紙製の閉塞部から構成され、前記円筒部が、前記フランジ部に嵌合する紙製の蓋部と、を備えることを特徴としている。
【００１０】
このように、本発明の紙製包装用容器は、すべての部分が紙製であり、可燃物で構成されているため、廃棄の際に可燃ごみとしてそのまま廃棄し焼却することができる。このため、蓋部がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。また、紙製カップにおいて、円筒状の側壁部の他端の外周、または逆円錐筒状の側壁部の大径端の外周に、リング状に形成された紙製のフランジ部が設けられているため、側壁部の端部を滑らかにすることができる。その結果、使用者が直接口をつけて内容物を飲む場合に飲みやすくすることができる。さらに、蓋部において、円筒部が、フランジ部に嵌合するので、内容物が飛び出したり、ゴミなどの異物が容器内に入り込んだりすることを防止することができる。また、蓋部は平坦面を有するため、複数の紙製包装用容器を積み重ねたり、平坦面に文字、図形、記号などの情報を表記したりすることが可能となる。
【００１１】
（３）また、本発明の紙製包装用容器は、前記蓋部において、前記閉塞部は、前記円筒部の内径と同一の直径を有する第１の円板で構成されることを特徴としている。
【００１２】
このように、閉塞部が、円筒部の内径と同一の直径を有する第１の円板で構成されるので、第１の円板を円筒部の内側に押し込んで蓋部を作成することができる。これにより、蓋部の作成を容易に行なうことができるので、大量生産における生産効率を高め、コストを削減することが可能となる。
【００１３】
（４）また、本発明の製包装用容器は、前記蓋部において、前記閉塞部は、前記円筒部の外径と概略同一の直径を有する第２の円板で構成されることを特徴としている。
【００１４】
このように、閉塞部が、円筒部の外径と概略同一の直径を有する第２の円板で構成されるので、円筒部の端面と第２の円板とを接合させて蓋部を作成することができる。これにより、蓋部の作成を容易に行なうことができるので、大量生産における生産効率を高め、コストを削減することが可能となる。
【００１５】
（５）また、本発明の紙製包装用容器は、少なくとも、前記側壁部または前記閉塞部に受注広告を備えることを特徴としている。
【００１６】
このように、少なくとも、紙製カップの側壁部または閉塞部に受注広告を備えるので、受注広告が使用者の目に留まる確率が非常に高くなり、広告・宣伝効果を高めることができる。紙製カップは、年間膨大な数量が消費されているが、衛生面などを考慮すると、１つの紙製カップが使用される回数は１回のみであり、使用後は廃棄されることとなる。このように１回の使用で廃棄される資源の利用価値と製造作業の効率を高めるため、紙製カップおよび蓋部に受注広告を付することが好適である。紙製カップは、白色の紙で形成されることが多いので、紙製カップの側壁部と蓋部の閉塞部に受注広告を付することにより、より利用価値を高めた紙製包装用容器を実現することが可能となる。なお、受注広告とは、一般的な広告情報のうち、他人である広告主から広告の依頼を受けて表示する広告のことである。
【発明の効果】
【００１７】
本発明の紙製包装用容器によれば、すべての部分が紙製であり、可燃物で構成されているため、廃棄の際に可燃ごみとしてそのまま廃棄し焼却することができる。このため、蓋部がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。さらに、蓋部において、円筒部が、円筒状の側壁部の他端、または逆円錐筒状の側壁部の大径端に嵌合するので、内容物が飛び出したり、ゴミなどの異物が容器内に入り込んだりすることを防止することができる。また、蓋部は平坦面を有するため、複数の紙製包装用容器を積み重ねたり、平坦面に文字、図形、記号などの情報を表記したりすることが可能となる。
【００１８】
また、本発明の紙製包装用容器によれば、すべての部分が紙製であり、可燃物で構成されているため、廃棄の際に可燃ごみとしてそのまま廃棄し焼却することができる。このため、蓋部がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。また、紙製カップにおいて、円筒状の側壁部の他端の外周、または逆円錐筒状の側壁部の大径端の外周に、リング状に形成された紙製のフランジ部が設けられているため、側壁部の端部を滑らかにすることができる。その結果、使用者が直接口をつけて内容物を飲む場合に飲みやすくすることができる。さらに、蓋部において、円筒部が、円筒状の側壁部の他端、または逆円錐筒状の側壁部の大径端に嵌合するので、内容物が飛び出したり、ゴミなどの異物が容器内に入り込んだりすることを防止することができる。また、蓋部は平坦面を有するため、複数の紙製包装用容器を積み重ねたり、平坦面に文字、図形、記号などの情報を表記したりすることが可能となる。
【００１９】
また、本発明の紙製包装用容器によれば、閉塞部が、円筒部の内径と同一の直径を有する第１の円板で構成されるので、第１の円板を円筒部の内側に押し込んで蓋部を作成することができる。これにより、蓋部の作成を容易に行なうことができるので、大量生産における生産効率を高め、コストを削減することが可能となる。
【００２０】
また、本発明の製包装用容器によれば、閉塞部が、円筒部の外径と概略同一の直径を有する第２の円板で構成されるので、円筒部の端面と第２の円板とを接合させて蓋部を作成することができる。これにより、蓋部の作成を容易に行なうことができるので、大量生産における生産効率を高め、コストを削減することが可能となる。
【００２１】
また、本発明の紙製包装用容器によれば、少なくとも、紙製カップの側壁部または閉塞部に受注広告を備えるので、受注広告が使用者の目に留まる確率が非常に高くなり、広告・宣伝効果を高めることができる。紙製カップは、年間膨大な数量が消費されているが、衛生面などを考慮すると、１つの紙製カップが使用される回数は１回のみであり、使用後は廃棄されることとなる。このように１回の使用で廃棄される資源の利用価値と製造作業の効率を高めるため、紙製カップおよび蓋部に受注広告を付することが好適である。紙製カップは、白色の紙で形成されることが多いので、紙製カップの側壁部と蓋部の閉塞部に受注広告を付することにより、より利用価値を高めた紙製包装用容器を実現することが可能となる。
【発明を実施するための最良の形態】
【００２２】
次に、本発明の実施の形態について、図面を参照しながら説明する。
【実施例１】
【００２３】
図１および図２は、本実施例に係る紙製包装用容器の断面図である。紙製包装用容器１は、紙製カップ２と、蓋部３と、から構成されており、図１では紙製カップ２に蓋部３が嵌合した状態を示し、図２では、紙製カップ２と蓋部３とが嵌合する前の状態示す。紙製カップ２は、逆円錐筒状に形成された紙製の側壁部２ａ、および側壁部２ａの小径端、すなわち、紙面に向かって側壁部２ａの下側の端部を閉塞する紙製の底部２ｂを備えている。また、側壁部２ａの大径端、すなわち、紙面に向かって側壁部２ａの上側の端部の外周には、リング状に形成されたフランジ部２ｃが設けられている。本実施例では、フランジ部２ｃは、側壁部２ａと一体であり、側壁部２ａの大径端を径の外側に折り返すように設けられている。
【００２４】
一方、蓋部３は、フランジ部２ｃの外径と概略同一の内径を有する紙製の円筒部３ａ、および円筒部３ａの一端、すなわち、紙面に向かって円筒部３ａの上側を閉塞し、円筒部３ａの反対側に平坦面を有する紙製の円板３ｂから構成される。そして、円筒部３ａは、図１および図２に示すように、フランジ部２ｃに嵌合する。ここで、図１に示すように、蓋部３を紙製カップ２に嵌合させると、円筒部３ａとフランジ部２ｃとは、接触抵抗が生じるため、蓋部３が紙製カップ２に固定されることとなる。なお、円板３ｂの一部に数条の交差する切りこみ、または孔を設けてストローなどの吸引用具を差し込めるようにしても良い。
【００２５】
このように、本実施例に係る紙製包装用容器１は、すべての部分が紙製であり、可燃物で構成されているため、廃棄の際に可燃ごみとしてそのまま廃棄し焼却することができる。このため、蓋部３がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。また、紙製カップ２において、逆円錐筒状の側壁部２ａの大径端の外周に、リング状に形成された紙製のフランジ部２ｃが設けられているため、側壁部２ａの端部を滑らかにすることができる。その結果、使用者が直接口をつけて内容物を飲む場合に飲みやすくすることができる。さらに、蓋部３において、円筒部３ａが、フランジ部２ｃに嵌合するので、内容物が飛び出したり、ゴミなどの異物が容器内に入り込んだりすることを防止することができる。また、蓋部３は円板３ｂにおいて平坦面を有するため、複数の紙製包装用容器を積み重ねたり、平坦面に文字、図形、記号などの情報を表記したりすることが可能となる。
【００２６】
なお、側壁部２ａは、逆円錐筒状のほか、円筒状に形成することも可能である。この場合、紙製包装用容器１において、紙製カップ２は、円筒状に形成された紙製の側壁部２ａと、側壁部２ａの一端を閉塞する紙製の底部２ｂと、側壁部２ａの他端の外周に設けられ、リング状に形成された紙製のフランジ部２ｃと、から構成される。また、蓋部３は、フランジ部２ｃの外径と概略同一の内径を有する紙製の円筒部３ａ、および円筒部３ａの一端を閉塞し円筒部３ａの反対側に平坦面を有する紙製の円板３ｂから構成される。そして、円筒部３ａが、フランジ部２ｃに嵌合することとなる。
【００２７】
図３は、蓋部３における円筒部３ａを作成する状態を示す図である。円筒部３ａは、紙製のパイプ３ｃを、パイプの高さ方向に適当な長さを取って切断することにより作成することができる。パイプ３ｃの直径は、紙製カップ２のフランジ部２ｃの外径に適合したものを選択すればよい。紙製のパイプは手軽に入手可能であるため、円筒部３ａを他の方法で作成する場合と比べて製造コストを低く抑えることが可能となる。
【００２８】
図４は、本実施例における蓋部３の分解図である。本実施例では、円板３ｂの直径ｄ１は、円筒部３ａの内径ｄ２と同一となっている。従って、円板３ｂを円筒部３ａに押し込んで、両者の接合面を接着することにより、蓋部３を作成することができる。この場合、円板３ｂは、第１の円板に該当する。
【００２９】
このように、円板３ｂが、円筒部３ａの内径と同一の直径を有するので、円板３ｂを円筒部３ａの内側に押し込んで蓋部３を作成することができる。これにより、蓋部３の作成を容易に行なうことができるので、大量生産における生産効率を高め、コストを削減することが可能となる。
【００３０】
なお、図５に示すように、蓋部３において、円板３ｂが、円筒部３ａの外径ｄ４と概略同一の直径ｄ３を有するように構成しても良い。このように、円板３ｂが、円筒部３ａの外径ｄ４と概略同一の直径ｄ３を有することにより、円筒部３ａと円板３ｂとの接合面を接着させて蓋部３を作成することができる。これにより、蓋部３の作成を容易に行なうことができるので、大量生産における生産効率を高め、コストを削減することが可能となる。
【００３１】
また、紙製カップ２は１回の使用が通常であるため、カップや円板の資材となる白紙は、強大な耐久力を必要とせず、１回の使用に耐えられる程度の耐久力を有するものを使用すればよい。これにより、製造コストを低く抑えることが可能となる。
【００３２】
図６は、紙製包装用容器１の円板３ｂに第１の受注広告６０を付し、側壁部２ａに第２の受注広告６１を付した状態を示す図である。紙製カップ２を使って、コーヒーやジュースを販売する飲食店または医療機関は優良な品質の紙製カップの提供があるならば、販売品や取り扱い品の妨げとならない宣伝広告であって経済的に安価であれば、紙製カップに表示される広告の有無は問題としないと考えられる。自己の店舗で使用する紙製カップに、自己の宣伝広告を印刷するためには白地の紙製カップの購入価格と同等以上の印刷費用が必要とされ、単価は高くなり不経済となるので、単独受注広告またはタイアップ広告を受け入れる要素は十分にあると考えられる。
【００３３】
近年、野球やサッカー場に大人数が集まり、紙製カップ入り飲料が販売され、職場には給水機が設置され、コーヒーチェーン店が普及し紙製カップは頻繁に使用されている。広告媒体として最適でありながら、一方で良い媒体を求めている広告発注希望企業も多く存在するが、互いに接点が無く、利用されていない。本発明の実施は、紙製カップ製造者と購入使用者（飲料販売店、すなわち広告受注者）・広告発注者と受注者、発注者と受注者の広告品および広告表示のセレクト、紙製カップ製造者と広告印刷の交渉などを行なう。すなわち、従来から知られているように紙製カップを用いて飲料等を提供する事業者の広告情報ではなく、第三者としての他企業の受注広告を紙製包装用容器１に付するのである。これにより、（１）紙製カップ製造業者に対して、広告主となる企業の受注広告を付した紙製包装用容器の製造を依頼し、（２）その受注広告が付された紙製包装用容器を用いて飲料等を販売し、（３）その広告主となった企業から広告料を受領するというビジネスモデルが成立する。
【００３４】
このように、紙製カップ２の側壁部２ａまたは円板３ｂに受注広告を備えるので、受注広告が使用者の目に留まる確率が非常に高くなり、広告・宣伝効果を高めることができる。一般に、紙製カップは、年間膨大な数量が消費されているが、衛生面などを考慮すると、１つの紙製カップが使用される回数は１回のみであり、使用後は廃棄されることとなる。このように１回の使用で廃棄される資源の利用価値と製造作業の効率を高めるため、紙製カップ２および蓋部３に受注広告を付することが好適である。紙製カップは、白色の紙で形成されることが多いので、紙製カップの側壁部と蓋部の閉塞部に受注広告を付することにより、より利用価値を高めた紙製包装用容器を実現することが可能となる。
【００３５】
なお、受注広告は、側壁部２ａおよび円板３ｂのみならず、どの場所に付しても良い。また、受注広告を付す際には、資材となる原紙に、紙製カップ２、および円板３ｂのサイズに適合した大きさの受注広告を印刷した上で切断し、紙製カップ２、および円板３ｂを成形する。また、円筒部３ａにも受注広告を付す場合は、紙製のパイプ３ｃを成形する際にパイプ３ｃの外周面に相当する部分に受注広告の印刷を施せばよい。これにより、コストの低い宣伝広告を行なうことが可能となる。
【００３６】
なお、蓋部３は、適当な厚さを有するシート状の１枚の紙を、蓋型の金型を用いてプレス機で打ち抜き圧迫して成形しても良い。受注広告を蓋部３に付する場合は、上記シート状の紙に印刷紙をプレスすればよい。
【図面の簡単な説明】
【００３７】
【図１】本実施例に係る紙製包装用容器の断面図である。
【図２】本実施例に係る紙製包装用容器の断面図である。
【図３】円筒部を作成する様子を示す図である。
【図４】蓋部の分解図である。
【図５】蓋部の分解図である。
【図６】紙製包装用容器に受注広告を付した状態を示す図である。
【符号の説明】
【００３８】
１  紙製包装用容器
２  紙製カップ
２ａ  側壁部
２ｂ  底部
２ｃ  フランジ部
３  蓋部
３ａ  円筒部
３ｂ  円板
３ｃ  パイプ
６０  受注広告
６１  受注広告
ｄ１  円板の直径
ｄ２  円筒部の内径
ｄ３  円板の直径
ｄ４  円筒部の外径
【図１】
2005126140.tif 000003
【図２】
2005126140.tif 000004
【図３】
2005126140.tif 000005
【図４】
2005126140.tif 000006
【図５】
2005126140.tif 000007
【図６】
2005126140.tif 000008
【手続補正書】
【提出日】平成16年4月8日(2004.4.8)
【手続補正１】
【補正対象書類名】特許請求の範囲
【補正対象項目名】全文
【補正方法】変更
【補正の内容】
【特許請求の範囲】
【請求項１】
円筒状または逆円錐筒状に形成された紙製の側壁部と、前記円筒状の側壁部の一端を閉塞し、または前記逆円錐筒状の側壁部の小径端を閉塞する紙製の底部と、前記円筒状の側壁部の他端の外周、または前記逆円錐筒状の側壁部の大径端の外周に設けられ、平坦面を有しリング状に形成された紙製のフランジ部と、から構成される紙製カップと、
前記フランジ部の外径と概略同一の内径を有する紙製の円筒部、および前記円筒部の一端を閉塞し前記円筒部側および前記円筒部の反対側に平坦面を有する紙製の閉塞部から構成され、前記円筒部が、前記フランジ部に嵌合する紙製の蓋部と、を備え、
前記蓋部を前記紙製カップに嵌合させたときに、前記フランジ部の平坦面と前記閉塞部の前記円筒部側の平坦面とが密着することを特徴とする紙製容器。
【請求項２】
前記蓋部において、前記閉塞部は、前記円筒部の内径と同一の直径を有する第１の円板で構成されることを特徴とする請求項１記載の紙製容器。
【請求項３】
前記蓋部において、前記閉塞部は、前記円筒部の外径と概略同一の直径を有する第２の円板で構成されることを特徴とする請求項１または請求項２記載の紙製容器。
【請求項４】
少なくとも、前記側壁部または前記閉塞部に受注広告を備えることを特徴とする請求項１から請求項３のいずれかに記載の紙製容器。
【手続補正２】
【補正対象書類名】明細書
【補正対象項目名】全文
【補正方法】変更
【補正の内容】
【発明の詳細な説明】
【技術分野】
【０００１】
本発明は、紙製カップと蓋部とから構成される紙製容器に関する。
【背景技術】
【０００２】
従来から、紙製のカップが知られている。例えば、特開平９−１１３４２２号公報には、内容物をこぼすことなく、検査容器に容易に小分けすることができる紙製のカップが記載されている。また、特開２０００−０５９６３８号公報には、電子レンジなどで加熱調理する時に、加熱による内容物の吹き零れを防止した紙カップが記載されている。
【特許文献１】特開平９−１１３４２２号公報
【特許文献２】特開２０００−０５９６３８号公報
【発明の開示】
【発明が解決しようとする課題】
【０００３】
しかしながら、上記の特許文献１および特許文献２に記載されている紙カップには蓋が付いていないため、内容物を入れた状態での持ち運びに便利であるとは言い難い。特に、液体や粉状体を入れた場合は、揺れにより内容物が飛び出す心配がある。また、蓋が無いことによりゴミなどが入ることがあり、不衛生となることもある。
【０００４】
一方、紙カップの利便性を向上させるために、プラスチック製の蓋が付いた紙カップが提案されている。しかし、プラスチック製品は、投棄や焼却により環境汚染を起こす物質が発生するので、エコロジーの観点から望ましいものではない。
【０００５】
本発明は、このような事情に鑑みてなされたものであり、利用価値が高く、環境のことを配慮した紙製容器を提供することを目的とする。
【課題を解決するための手段】
【０００６】
（１）本発明の紙製容器は、円筒状または逆円錐筒状に形成された紙製の側壁部と、前記円筒状の側壁部の一端を閉塞し、または前記逆円錐筒状の側壁部の小径端を閉塞する紙製の底部と、前記円筒状の側壁部の他端の外周、または前記逆円錐筒状の側壁部の大径端の外周に設けられ、平坦面を有しリング状に形成された紙製のフランジ部と、から構成される紙製カップと、前記フランジ部の外径と概略同一の内径を有する紙製の円筒部、および前記円筒部の一端を閉塞し前記円筒部側および前記円筒部の反対側に平坦面を有する紙製の閉塞部から構成され、前記円筒部が、前記フランジ部に嵌合する紙製の蓋部と、を備え、前記蓋部を前記紙製カップに嵌合させたときに、前記フランジ部の平坦面と前記閉塞部の前記円筒部側の平坦面とが密着することを特徴としている。
【０００７】
このように、本発明の紙製容器は、すべての部分が紙製であり、可燃物で構成されているため、廃棄の際に可燃ごみとしてそのまま廃棄し焼却することができる。このため、蓋部がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。また、紙製カップにおいて、円筒状の側壁部の他端の外周、または逆円錐筒状の側壁部の大径端の外周に、リング状に形成された紙製のフランジ部が設けられているため、側壁部の端部を滑らかにすることができる。その結果、使用者が直接口をつけて内容物を飲む場合に飲みやすくすることができる。さらに、蓋部において、円筒部が、フランジ部に嵌合し、閉塞部とフランジ部との平坦面が密着するので、内容物が飛び出したり、ゴミなどの異物が容器内に入り込んだりすることを防止することができる。また、蓋部は平坦面を有するため、複数の紙製容器を積み重ねたり、平坦面に文字、図形、記号などの情報を表記したりすることが可能となる。
【０００８】
（２）また、本発明の紙製容器は、前記蓋部において、前記閉塞部は、前記円筒部の内径と同一の直径を有する第１の円板で構成されることを特徴としている。
【０００９】
このように、閉塞部が、円筒部の内径と同一の直径を有する第１の円板で構成されるので、第１の円板を円筒部の内側に押し込んで蓋部を作成することができる。これにより、蓋部の作成を容易に行なうことができるので、大量生産における生産効率を高め、コストを削減することが可能となる。
【００１０】
（３）また、本発明の紙製容器は、前記蓋部において、前記閉塞部は、前記円筒部の外径と概略同一の直径を有する第２の円板で構成されることを特徴としている。
【００１１】
このように、閉塞部が、円筒部の外径と概略同一の直径を有する第２の円板で構成されるので、円筒部の端面と第２の円板とを接合させて蓋部を作成することができる。これにより、蓋部の作成を容易に行なうことができるので、大量生産における生産効率を高め、コストを削減することが可能となる。
【００１２】
（４）また、本発明の紙製容器は、少なくとも、前記側壁部または前記閉塞部に受注広告を備えることを特徴としている。
【００１３】
このように、少なくとも、紙製カップの側壁部または閉塞部に受注広告を備えるので、受注広告が使用者の目に留まる確率が非常に高くなり、広告・宣伝効果を高めることができる。紙製カップは、年間膨大な数量が消費されているが、衛生面などを考慮すると、１つの紙製カップが使用される回数は１回のみであり、使用後は廃棄されることとなる。このように１回の使用で廃棄される資源の利用価値と製造作業の効率を高めるため、紙製カップおよび蓋部に受注広告を付することが好適である。紙製カップは、白色の紙で形成されることが多いので、紙製カップの側壁部と蓋部の閉塞部に受注広告を付することにより、より利用価値を高めた紙製容器を実現することが可能となる。なお、受注広告とは、一般的な広告情報のうち、他人である広告主から広告の依頼を受けて表示する広告のことである。
【発明の効果】
【００１４】
本発明の紙製容器によれば、すべての部分が紙製であり、可燃物で構成されているため、廃棄の際に可燃ごみとしてそのまま廃棄し焼却することができる。このため、蓋部がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。また、紙製カップにおいて、円筒状の側壁部の他端の外周、または逆円錐筒状の側壁部の大径端の外周に、リング状に形成された紙製のフランジ部が設けられているため、側壁部の端部を滑らかにすることができる。その結果、使用者が直接口をつけて内容物を飲む場合に飲みやすくすることができる。さらに、蓋部において、円筒部が、フランジ部に嵌合し、閉塞部とフランジ部との平坦面が密着するので、内容物が飛び出したり、ゴミなどの異物が容器内に入り込んだりすることを防止することができる。また、蓋部は平坦面を有するため、複数の紙製容器を積み重ねたり、平坦面に文字、図形、記号などの情報を表記したりすることが可能となる。
【００１５】
また、本発明の紙製容器によれば、閉塞部が、円筒部の内径と同一の直径を有する第１の円板で構成されるので、第１の円板を円筒部の内側に押し込んで蓋部を作成することができる。これにより、蓋部の作成を容易に行なうことができるので、大量生産における生産効率を高め、コストを削減することが可能となる。
【００１６】
また、本発明の製包装用容器によれば、閉塞部が、円筒部の外径と概略同一の直径を有する第２の円板で構成されるので、円筒部の端面と第２の円板とを接合させて蓋部を作成することができる。これにより、蓋部の作成を容易に行なうことができるので、大量生産における生産効率を高め、コストを削減することが可能となる。
【００１７】
また、本発明の紙製容器によれば、少なくとも、紙製カップの側壁部または閉塞部に受注広告を備えるので、受注広告が使用者の目に留まる確率が非常に高くなり、広告・宣伝効果を高めることができる。紙製カップは、年間膨大な数量が消費されているが、衛生面などを考慮すると、１つの紙製カップが使用される回数は１回のみであり、使用後は廃棄されることとなる。このように１回の使用で廃棄される資源の利用価値と製造作業の効率を高めるため、紙製カップおよび蓋部に受注広告を付することが好適である。紙製カップは、白色の紙で形成されることが多いので、紙製カップの側壁部と蓋部の閉塞部に受注広告を付することにより、より利用価値を高めた紙製容器を実現することが可能となる。
【発明を実施するための最良の形態】
【００１８】
次に、本発明の実施の形態について、図面を参照しながら説明する。
【実施例】
【００１９】
図１および図２は、本実施例に係る紙製容器の断面図である。紙製容器１は、紙製カップ２と、蓋部３と、から構成されており、図１では紙製カップ２に蓋部３が嵌合した状態を示し、図２では、紙製カップ２と蓋部３とが嵌合する前の状態示す。紙製カップ２は、逆円錐筒状に形成された紙製の側壁部２ａ、および側壁部２ａの小径端、すなわち、紙面に向かって側壁部２ａの下側の端部を閉塞する紙製の底部２ｂを備えている。また、側壁部２ａの大径端、すなわち、紙面に向かって側壁部２ａの上側の端部の外周には、リング状に形成されたフランジ部２ｃが設けられている。本実施例では、フランジ部２ｃは、側壁部２ａと一体であり、側壁部２ａの大径端を径の外側に折り返すように設けられている。図２に示すように、フランジ部２ｃは、側壁部２ａの反対側に平坦面を有している。
【００２０】
一方、蓋部３は、フランジ部２ｃの外径と概略同一の内径を有する紙製の円筒部３ａ、および円筒部３ａの一端、すなわち、紙面に向かって円筒部３ａの上側を閉塞し、円筒部３ａの反対側に平坦面を有する紙製の円板３ｂから構成される。そして、円筒部３ａは、図１および図２に示すように、フランジ部２ｃに嵌合する。ここで、図１に示すように、蓋部３を紙製カップ２に嵌合させると、円筒部３ａとフランジ部２ｃとは、接触抵抗が生じ、円板３ｂとフランジ部２ｃとの平坦面において密着するため、蓋部３が紙製カップ２に固定されることとなる。なお、円板３ｂの一部に数条の交差する切りこみ、または孔を設けてストローなどの吸引用具を差し込めるようにしても良い。
【００２１】
このように、本実施例に係る紙製容器１は、すべての部分が紙製であり、可燃物で構成されているため、廃棄の際に可燃ごみとしてそのまま廃棄し焼却することができる。このため、蓋部３がプラスチック製である場合のように焼却処分の際に有毒ガスなどを発生させて大気を汚染することがなくなる。また、紙を材料とするため、特に円筒形状や逆円錐筒形状の部材については大きさや厚さを容易に調節することが可能である。また、紙製カップ２において、逆円錐筒状の側壁部２ａの大径端の外周に、リング状に形成された紙製のフランジ部２ｃが設けられているため、側壁部２ａの端部を滑らかにすることができる。その結果、使用者が直接口をつけて内容物を飲む場合に飲みやすくすることができる。さらに、蓋部３において、円筒部３ａが、フランジ部２ｃに嵌合し、円板３ｂとフランジ部と２ｃの平坦面が密着するので、内容物が飛び出したり、ゴミなどの異物が容器内に入り込んだりすることを防止することができる。また、蓋部３は円板３ｂにおいて平坦面を有するため、複数の紙製容器を積み重ねたり、平坦面に文字、図形、記号などの情報を表記したりすることが可能となる。
【００２２】
なお、側壁部２ａは、逆円錐筒状のほか、円筒状に形成することも可能である。この場合、紙製容器１において、紙製カップ２は、円筒状に形成された紙製の側壁部２ａと、側壁部２ａの一端を閉塞する紙製の底部２ｂと、側壁部２ａの他端の外周に設けられ、リング状に形成された紙製のフランジ部２ｃと、から構成される。また、蓋部３は、フランジ部２ｃの外径と概略同一の内径を有する紙製の円筒部３ａ、および円筒部３ａの一端を閉塞し円筒部３ａの反対側に平坦面を有する紙製の円板３ｂから構成される。そして、円筒部３ａが、フランジ部２ｃに嵌合することとなる。
【００２３】
図３は、蓋部３における円筒部３ａを作成する状態を示す図である。円筒部３ａは、紙製のパイプ３ｃを、パイプの高さ方向に適当な長さを取って切断することにより作成することができる。パイプ３ｃの直径は、紙製カップ２のフランジ部２ｃの外径に適合したものを選択すればよい。紙製のパイプは手軽に入手可能であるため、円筒部３ａを他の方法で作成する場合と比べて製造コストを低く抑えることが可能となる。
【００２４】
図４は、本実施例における蓋部３の分解図である。本実施例では、円板３ｂの直径ｄ１は、円筒部３ａの内径ｄ２と同一となっている。従って、円板３ｂを円筒部３ａに押し込んで、両者の接合面を接着することにより、蓋部３を作成することができる。この場合、円板３ｂは、第１の円板に該当する。
【００２５】
このように、円板３ｂが、円筒部３ａの内径と同一の直径を有するので、円板３ｂを円筒部３ａの内側に押し込んで蓋部３を作成することができる。これにより、蓋部３の作成を容易に行なうことができるので、大量生産における生産効率を高め、コストを削減することが可能となる。
【００２６】
なお、図５に示すように、蓋部３において、円板３ｂが、円筒部３ａの外径ｄ４と概略同一の直径ｄ３を有するように構成しても良い。このように、円板３ｂが、円筒部３ａの外径ｄ４と概略同一の直径ｄ３を有することにより、円筒部３ａと円板３ｂとの接合面を接着させて蓋部３を作成することができる。これにより、蓋部３の作成を容易に行なうことができるので、大量生産における生産効率を高め、コストを削減することが可能となる。
【００２７】
また、紙製カップ２は１回の使用が通常であるため、カップや円板の資材となる白紙は、強大な耐久力を必要とせず、１回の使用に耐えられる程度の耐久力を有するものを使用すればよい。これにより、製造コストを低く抑えることが可能となる。
【００２８】
図６は、紙製容器１の円板３ｂに第１の受注広告６０を付し、側壁部２ａに第２の受注広告６１を付した状態を示す図である。紙製カップ２を使って、コーヒーやジュースを販売する飲食店または医療機関は優良な品質の紙製カップの提供があるならば、販売品や取り扱い品の妨げとならない宣伝広告であって経済的に安価であれば、紙製カップに表示される広告の有無は問題としないと考えられる。自己の店舗で使用する紙製カップに、自己の宣伝広告を印刷するためには白地の紙製カップの購入価格と同等以上の印刷費用が必要とされ、単価は高くなり不経済となるので、単独受注広告またはタイアップ広告を受け入れる要素は十分にあると考えられる。
【００２９】
近年、野球やサッカー場に大人数が集まり、紙製カップ入り飲料が販売され、職場には給水機が設置され、コーヒーチェーン店が普及し紙製カップは頻繁に使用されている。広告媒体として最適でありながら、一方で良い媒体を求めている広告発注希望企業も多く存在するが、互いに接点が無く、利用されていない。本発明の実施は、紙製カップ製造者と購入使用者（飲料販売店、すなわち広告受注者）・広告発注者と受注者、発注者と受注者の広告品および広告表示のセレクト、紙製カップ製造者と広告印刷の交渉などを行なう。すなわち、従来から知られているように紙製カップを用いて飲料等を提供する事業者の広告情報ではなく、第三者としての他企業の受注広告を紙製容器１に付するのである。これにより、（１）紙製カップ製造業者に対して、広告主となる企業の受注広告を付した紙製容器の製造を依頼し、（２）その受注広告が付された紙製容器を用いて飲料等を販売し、（３）その広告主となった企業から広告料を受領するというビジネスモデルが成立する。
【００３０】
このように、紙製カップ２の側壁部２ａまたは円板３ｂに受注広告を備えるので、受注広告が使用者の目に留まる確率が非常に高くなり、広告・宣伝効果を高めることができる。一般に、紙製カップは、年間膨大な数量が消費されているが、衛生面などを考慮すると、１つの紙製カップが使用される回数は１回のみであり、使用後は廃棄されることとなる。このように１回の使用で廃棄される資源の利用価値と製造作業の効率を高めるため、紙製カップ２および蓋部３に受注広告を付することが好適である。紙製カップは、白色の紙で形成されることが多いので、紙製カップの側壁部と蓋部の閉塞部に受注広告を付することにより、より利用価値を高めた紙製容器を実現することが可能となる。
【００３１】
なお、受注広告は、側壁部２ａおよび円板３ｂのみならず、どの場所に付しても良い。また、受注広告を付す際には、資材となる原紙に、紙製カップ２、および円板３ｂのサイズに適合した大きさの受注広告を印刷した上で切断し、紙製カップ２、および円板３ｂを成形する。また、円筒部３ａにも受注広告を付す場合は、紙製のパイプ３ｃを成形する際にパイプ３ｃの外周面に相当する部分に受注広告の印刷を施せばよい。これにより、コストの低い宣伝広告を行なうことが可能となる。
【００３２】
なお、蓋部３は、適当な厚さを有するシート状の１枚の紙を、蓋型の金型を用いてプレス機で打ち抜き圧迫して成形しても良い。受注広告を蓋部３に付する場合は、上記シート状の紙に印刷紙をプレスすればよい。
【図面の簡単な説明】
【００３３】
【図１】本実施例に係る紙製容器の断面図である。
【図２】本実施例に係る紙製容器の断面図である。
【図３】円筒部を作成する様子を示す図である。
【図４】蓋部の分解図である。
【図５】蓋部の分解図である。
【図６】紙製容器に受注広告を付した状態を示す図である。
【符号の説明】
【００３４】
１  紙製容器
２  紙製カップ
２ａ  側壁部
２ｂ  底部
２ｃ  フランジ部
３  蓋部
３ａ  円筒部
３ｂ  円板
３ｃ  パイプ
６０  受注広告
６１  受注広告
ｄ１  円板の直径
ｄ２  円筒部の内径
ｄ３  円板の直径
ｄ４  円筒部の外径